(57)【要約】【課題】  安価で使い勝手が良く、体裁にも優れる。【解決手段】  内装用の壁と床との間に生じる隙間を隠すフローリング巾木構造において、木粉及び竹粉を混入した発泡樹脂組成物の内部に中空部（３）を形成し、両面（１Ａ，１Ｂ）ともに平滑な面に形成されたフローリング巾木本体（１）と、このフローリング巾木本体（１）の下端側に形成された取付用溝部（４）と、この取付用溝部（４）に取外し可能にその本体部（５）が取付くとともにその先端部（６）が軟質で薄い材料から形成された覆い部材（２）とから成る。【選択図】  図１
2005320700.tif 000002
【特許請求の範囲】
【請求項１】
内装用の壁と床との間に生じる隙間を隠すフローリング巾木構造において、
木粉及び竹粉を混入した発泡樹脂組成物の内部に中空部を形成し、両面ともに平滑な面に形成されたフローリング巾木本体と、
このフローリング巾木本体の下端側に形成された取付用溝部と、
この取付用溝部に取外し可能にその本体部が取付くとともにその先端部が軟質で薄い材料から形成された覆い部材とから成ることを特徴とするフローリング巾木構造。
【請求項２】
前記フローリング巾木本体を形成する発泡樹脂としては、スチレン系樹脂を使用したことを特徴とする請求項１に記載のフローリング巾木構造。
【請求項３】
前記フローリング巾木本体の取付用溝部の一方の面は他方の面よりも下方に延出して形成されていることを特徴とする請求項１又は２に記載のフローリング巾木構造。
【請求項４】
前記フローリング巾木本体の中空部は高さ方向に複数形成されていることを特徴とする請求項１ないし３のいずれか１項に記載のフローリング巾木構造。
【請求項５】
前記覆い部材の先端部は、スチレン系、オレフィン系、ジオレフィン系、ウレタン系から選択された熱可塑性エラストマーであることを特徴とする請求項１ないし４のいずれか１項に記載のフローリング巾木構造。
【請求項６】
前記覆い部材の先端部にその長手方向に沿って複数の穴をあけたことを特徴とする請求項１ないし５のいずれか１項に記載のフローリング巾木構造。
【請求項７】
前記中空部がフローリング巾木本体を切断したときに取付用溝部となることを特徴とする請求項１ないし６のいずれか１項に記載のフローリング巾木構造。
【発明の詳細な説明】
【技術分野】
【０００１】
本発明は、内装用の壁と床との間に生じる隙間を隠すフローリング巾木構造に関する。
【背景技術】
【０００２】
従来のフローリング巾木構造としては、平滑な固定部と２つ以上の凹溝を設けた取付受部とが互いに反対側の面に形成された固定基材に覆蓋材を取付け、この覆蓋材には凹溝に取付く凸条が設けられ、先端側には高さ調整帯が設けられたものが知られている（特許文献１参照）。
【特許文献１】特開２００３−９７０４１号公報（第１頁、図３）
【発明の開示】
【発明が解決しようとする課題】
【０００３】
従来の固定基材（フローリング巾木本体）としては、木質材料や樹脂材料などが用いられ、中実構造であった。また、覆蓋材は薄板状でその下端は内側へ曲げられ、下端に可撓性を有する高さ調整帯を設けたものであり、覆蓋材の凸条を複数の凹溝のいずれかを選択して取付ければ、床に高さ調整帯が接触するようになっている。中実構造の固定基材を用いるために軽量化はむずかしく、またその両面は夫々機能を異にする（固定部と取付受部）ために、いずれの面を表にしても良いというものではなく、使い勝手が悪いものであった。さらに、覆蓋材も表側から見えてしまうものであり、これと固定基材の取付受部の一部とが露出して体裁も損ねていた。
【０００４】
そこで、本発明は、安価で軽量かつ使い勝手も良く、体裁も優れたフローリング巾木構造を提供することを目的とする。
【課題を解決するための手段】
【０００５】
上述の目的を達成するため、本発明は、内装用の壁と床との間に生じる隙間を隠すフローリング巾木構造において、木粉及び竹粉を混入した発泡樹脂組成物の内部に中空部を形成し、両面ともに平滑な面に形成されたフローリング巾木本体と、このフローリング巾木本体の下端側に形成された取付用溝部と、この取付用溝部に取外し可能にその本体部が取付くとともにその先端部が軟質で薄い材料から形成された覆い部材とから成るものである。
【発明の効果】
【０００６】
本発明は、内装用の壁と床との間に生じる隙間を隠すフローリング巾木構造において、木粉及び竹粉を混入した発泡樹脂組成物の内部に中空部を形成し、両面ともに平滑な面に形成されたフローリング巾木本体と、このフローリング巾木本体の下端側に形成された取付用溝部と、この取付用溝部に取外し可能にその本体部が取付くとともにその先端部が軟質で薄い材料から形成された覆い部材とから成るので、フローリング巾木本体は軽く、かつ大量生産可能であり、コストダウンを図れ、しかも覆い部材はその先端部しか露出しないので体裁にも優れる。また、フローリング巾木本体の両面は、ともに平滑な面に形成されているので、どちらの面を表にしても良く、使い勝手が良い。さらに、使用する場所によっては、覆い部材をフローリング巾木本体から取外して用いることも可能である。なおまた、フローリング巾木本体には木粉及び竹粉を混入してあり、木目調のデザインとすることもでき、外観にも木の温もりを感じることができる。
【発明を実施するための最良の形態】
【０００７】
以下に本発明の実施形態を図面に基づいて説明する。
【０００８】
図１は、縦断面を示し、フローリング巾木本体１の下端に覆い部材２を取付けた状態を示し、フローリング巾木本体１は、内部に中空部３を形成して軽量化を図ってあり、かつ両面１Ａ，１Ｂともに平滑な面に形成してある。また、フローリング巾木本体１の下端側に取付用溝部４を形成してあり、この取付用溝部４に覆い部材２が取外し可能に取付く。この覆い部材２は、本体部５と先端部６とから成り、本体部５は合成ゴムや発泡体から形成し、先端部６は、軟質で薄い材料から形成してある。この先端部６としては、スチレン系、オレフィン系、ジオレフィン系、ウレタン系から選択された熱可塑性エラストマーが好適に使用できる。
【０００９】
前記フローリング巾木本体１は、木粉及び竹粉を混入した発泡樹脂組成物から成る。このような発泡樹脂組成物の一例としては、スチレン系樹脂１００重量部に対して木粉５重量部以上１００重量部以下と熱分解型発泡剤とを添加して発泡させたものであり、スチレン系樹脂が、ゴム成分を１０重量％〜５０重量％含有するものが好適に使用できる。前記スチレン系樹脂としては、ＡＢＳ（アクリロニトリル−ブタジエンゴム−スチレン共重合体）樹脂、ＡＡＳ（アクリロニトリル−アクリルゴム−スチレン共重合体）樹脂、ＡＥＳ（アクリロニトリル−エチレンプロピレンゴム−スチレン共重合体）樹脂のいずれかが用いられる。このような樹脂１００重量部に対し、スチレン変性ポリエチレンワックス１重量部〜３０重量部を配合したものが、より好ましい。前記ゴム成分を含有させたものでは、表面外観や耐衝撃性、耐熱性を向上させることができる。
【００１０】
なお、フローリング巾木本体１としては、木粉及び竹粉と発泡剤を混ぜたＡＳＡ樹脂（アクリロニトリル−スチレン・アクリレート）ペレットを押出成形したものも使用することができる。ＡＳＡ樹脂は、アクリルゴム系であり、ブタジエンゴムに比べて耐候性が大幅に改善されている。
【００１１】
図２は覆い部材２の一部断面斜視図を示し、その先端部６を形成する熱可塑性エラストマー（ＴＰＥ）は、常温では加硫ゴムの性質を示すが、高温になると塑性変形が可能となって、プラスチックの加工機で成形できる高分子材料であり、ゴムとプラスチックの中間的な性質を有している。このＴＰＥと呼ばれる材料のうち塩化ビニル系以外のスチレン系、オレフィン系、ジオレフィン系、ウレタン系、エステル系、アミド系、フッ素系のいずれかを用いるのが望ましい。また、ハロゲン系添加物は使用しない。ハロゲン化合物は環境への悪影響が懸念されるためである。前記スチレン系ＴＰＥには、ＳＢＳ、ＳＩＳ、ＳＥＢＳの３タイプがあり、加硫ゴムに最も近い性質を有しているので、先端部６を形成する材料としては好適である。オレフィン系ＴＰＥは比重が最も軽く、ウレタン系ＴＰＥは耐摩耗性、耐屈曲性に優れている。また、エステル系ＴＰＥは、機械的強度には優れているが、柔軟な製品が得られにくい。アミド系ＴＰＥは、強靭性に優れているが、ゴム弾性に乏しく、フッ素系ＴＰＥは、多くの物性に優れているが、最も高価である。したがって、先端部６を成形する材料として適したＴＰＥとしては、スチレン系、オレフィン系、ジオレフィン系、ウレタン系である。また、覆い部材２には、その長手方向に沿って複数の穴７をあけてあり、これらの穴７の存在により音の伝播を防止することができる。
【００１２】
この覆い部材２の本体部５も先端部６と同一材料で成形しても良いし、別々の材料を用いた２色押出成形法で成形することもできる。本体部５も弾力性を有し、取付用溝部４に嵌まり込んで簡単には抜け出ないような材料であれば良い。
【００１３】
図１における寸法の数値の単位はｍｍである。このような寸法は、一例であって、用途に応じて寸法は異なるものである。なお、フローリング巾木本体１の下端側に形成された取付用溝部４の一方の面（面１Ａ側）は他方の面（面１Ｂ側）よりも下方に２ｍｍ延出してある。表側を面１Ｂとしたとき、床と覆い部材２との接点を薄く壁側に設け、意匠として適する小さい目地を床面にとることにより、適度な影となり不陸を目立たなくさせる。なお、下端側の長さは同じであっても差し支えない。
【００１４】
前記中空部３は、フローリング巾木本体１の軽量化と強度とのバランスを考慮して、１つの大きな中空部３を形成するよりも複数の中空部３を形成することが望ましい。
【００１５】
図３は、壁１０と床１１との間に生じる隙間を隠した状態の図であり、覆い部材２の先端部６が床１１に接触している。フローリング巾木本体１は壁１０に固定される。
【００１６】
図４は、フローリング巾木本体１の高さを低くして用いる場合に、両面１Ａ，１Ｂに直交する方向で切断し、切断された個所の中空部３が取付用溝部４になった状態を示す。この切断後の取付用溝部４に覆い部材２を取付けることができる。この取付用溝部４の一面側は他方よりも短く切断しておいても良い。このように中空部３の図面上左右の幅を、覆い部材２の本体部５の厚み程度としておくことにより、この中空部３の個所でフローリング巾木本体１を切断すれば、下方に開口した中空部３が取付用溝部４となる。
【図面の簡単な説明】
【００１７】
【図１】本発明の実施形態を示す縦断面図。
【図２】覆い部材の一部断面の斜視図。
【図３】壁に取付けた状態の図。
【図４】フローリング巾木本体を切断した状態の断面図。
【符号の説明】
【００１８】
１    フローリング巾木本体
１Ａ，１Ｂ  両面
２    覆い部材
３    中空部
４    取付用溝部
５    本体部
６    先端部
【図１】
2005320700.tif 000003
【図２】
2005320700.tif 000004
【図３】
2005320700.tif 000005
【図４】
2005320700.tif 000006